(57)【要約】【課題】リース、レンタル用として頻繁に運送、収納が繰り返される水平、垂直方向に４５度回転変位して形成される矩形パイプの組立式折り畳みパイプ棚に関し、組立時の煩雑さを解消すると共に、長期の使用に耐えて揺れが起こらず、また棚板の滑落しにくい管継手を低コストで提供する。【解決手段】管継手の折り畳み部材である奥行パイプ嵌入部材を、嵌合溝内に二面がそぎ落とされた略平行楕円柱の回動軸を有する一体型とすると共に、回動支持部に軸受孔と連接して回動軸の二面幅より僅かに広い切欠部を設けて回動軸の装着口とし、パイプ棚の折り畳み時の外れ止めとして樹脂製の回動軸押さえ部材を装着した。また、パイプ棚の最上部に位置する管継手上面の凹部に肉盛部を設けて棚板の滑落を防止する。【選択図】図８
2004270908.tif 000002
【特許請求の範囲】
【請求項１】
奥行方向のパイプ部材が間口方向のパイプ部材に対して直角に折り畳み可能な構成である折り畳みパイプ棚の管継手であって、複数のパイプ嵌入部が直角に交わる該管継手の基部から棚の奥行方向に延設した平板状の回動支持部に軸受孔を穿ち、該回動支持部を挟み込む奥行パイプ嵌入部材の嵌合溝と回動軸により奥行パイプが基部に回動自在に係合される管継手において、回動支持部に軸受孔から連接して軸受孔の直径よりやや狭い幅で切欠部を設けると共に、奥行パイプ嵌入部材の嵌合溝内に一体的に設けた回動軸が、奥行方向の二面幅を回動支持部の切欠部の内寸より僅かに小さい略平行楕円柱とすることを特徴とする組立式折り畳みパイプ棚用管継手
【請求項２】
回動支持部の切欠部の内壁に小切欠部を設け、該小切欠部に嵌合する突起を有する樹脂製の回動軸押さえ部材を押し込んで回動軸の軸ズレを防止することを特徴とする請求項１の組立式折り畳みパイプ棚用管継手
【請求項３】
間口、奥行及び高さ方向の矩形パイプ部材がそれぞれ水平及び垂直方向に対して４５度回転変位した形態で完成される立方体又は直方体又はその連続型のパイプ棚の管継手であって、間口及び奥行方向のパイプ部材の棚板搭載面となる内側の４５度傾斜面を直角に交わらせて係止する各管継手の内、最上段に使用される管継手の基部内隅に形成される凹部に、三角形状の肉盛部を設けたことを特徴とする請求項１の組立式折り畳みパイプ棚用管継手
【発明の詳細な説明】
【０００１】
【発明の属する技術分野】
本発明は、組立式パイプ棚の管継手に関し、特に管継手の奥行方向のパイプ支持部を水平方向に回動自在な構成とすることにより、棚全体を折り畳むことができるようにしたリース、レンタル用の商品ディスプレイ棚の管継手に関するものである。
【０００２】
【従来の技術】
初期の組立式折り畳みパイプ棚の管継手は、複数のパイプ嵌入部が直角に交わる基部から棚の奥行方向に延設した平板の先端部を半円状に形成し、中心に軸受孔をあけたフランジ型回動支持部を、奥行方向のパイプ嵌入部材に設けた嵌合溝に嵌入し、螺子を回動軸として係合していた。
【０００３】
しかしながら、螺子により係合された管継手は棚全体の美観を損なうため、同一の管継手に螺子止め位置の上下を変えた二種類を必要としていた外、運搬途中に螺子が緩んで抜け落ちるという欠点があった。
【０００４】
そこで、本発明の発明者は、奥行方向のパイプ嵌入部材を上下に二分割して形成する構成とし、一方に回動軸となる円柱状のダボを突設すると共に、他方に軸穴を設けて表面処理を施した後、回動支持部の軸受孔を挿通しプレス機にて圧入して一体とする発明をなし、特許を取得した。（  特許  第３２０４４９４号  ）
【０００５】
【発明が解決しようとする課題】
該特許の管継手は美感上の問題点を解決し、パイプ棚の組み立て時の煩雑さを解消すると共に、管継手の在庫種類の削減を実現したが、１６ミリ角パイプを使用するという寸法上の制約のため圧入強度が十分とは言えず、リース、レンタル使用で頻繁に折り畳み、運送を繰り返すうち圧入部分に緩みが生じ、回動支持部を挟み込む奥行パイプ嵌入部材の嵌合溝が広がることにより、パイプ棚の奥行方向への揺れが大きくなるという問題が現れると共に、棚板の設置が水平方向の矩形パイプが形成するパイプ枠の内側４５度の傾斜面であるために、移動の際に最上段の棚板が滑落しやすいという欠点が指摘された。また、螺子方式と比較してプレス圧入工程によるコスト高を招いた。
【０００６】
【課題を解決するための手段】
本発明の組立式折り畳みパイプ棚用管継手は、該管継手の基部に延設された回動支持部に軸受孔を穿ち、該軸受孔から連接して切欠部を設けて回動軸の装着口とし、奥行パイプ嵌入部材を回動支持部への嵌合溝及び略平行楕円柱の回動軸を備えた一体成形型とすると共に、回動軸のズレを防止するために樹脂製の回動軸押さえ部材を用いる構成とした。
【０００７】
また、パイプ棚の最上部の矩形パイプ部材を係止する管継手基部上面に位置し、棚板を搭載する間口、奥行方向の該パイプ部材の傾斜面が互いに直角に交わる内隅凹部を三角形状に肉盛した。
【０００８】
【作用】
本発明の組立式折り畳みパイプ棚用管継手は、回動軸に螺子を使用することによる美感上の難点、組立上の煩雑さ、螺子の抜け落ちを排除すると共に、奥行パイプ嵌入部材を一体型とすることで回動軸の緩みによるパイプ棚の奥行方向への揺れを解消した。
【０００９】
また、パイプ棚の最上部に使用する管継手基部上面の内隅凹部を三角形状に肉盛することにより、下段の棚板が垂直方向のパイプに四隅を押さえられて安定するのと同じ条件で最上部の棚板の滑落が防止される構成とした。
【００１０】
【発明の実施の形態】
以下、本発明に係る組立式折り畳みパイプ棚用管継手（以下「管継手」という）を図面に示す実施例に基づいて詳細に説明する。図１はこの発明に係る管継手の実施例の内、最上段の角部に使用する管継手１に矩形のパイプ部材７を嵌入し、棚板９を搭載した状態の斜視図である。本発明の組み立て式折り畳みパイプ棚は間口方向と奥行方向及び高さ方向の矩形の各パイプ部材７をそれぞれ水平及び垂直方向に対して４５度回転変位した状態で管継手１により係止された立方体又は直方体又はその連続型の枠組みであり、水平方向のパイプ枠の内側４５度の傾斜面に棚板９を搭載して商品を陳列するものであって、該両傾斜面が交わって形成される管継手１の基部２の凹部には三角形状の肉盛部５が設けられ、棚板９の滑落を防止する。
【００１１】
図２は本発明に係る管継手の実施例の内、最上段の角部に使用する管継手１の全体を示す斜視図であり、間口、高さ方向のパイプ嵌入部３が一体的に形成された基部２に延設された平板状の回動支持部４に奥行パイプ嵌入部材６が回動自在に係合しており、パイプ棚組立後の運送、収納時に棚板９を外した状態で奥行方向のパイプ部材７が間口方向のパイプ部材７に当接するまで折り畳むことができる構成となっている。
【００１２】
図３は最上段の角部に使用する管継手１の奥行パイプ嵌入部材６を装着する前の状態を示す平面図であり、回動支持部４に奥行パイプ嵌入部材６の回動軸６３を挿通するための軸受孔４１が穿たれると共に、該軸受孔４１と連接して該回動軸６３の装着口となる切欠部４２が該軸受孔４１の直径よりやや狭い幅で設けられ、さらに該切欠部４２の内壁には小切欠部４２が設けられ、樹脂製の回動軸押さえ部材８の突起８１を嵌合して係止する。
【００１３】
図４は奥行パイプ嵌入部材６の側面図であり、図５は奥行パイプ嵌入部材６に設けられた回動軸６３を示す平面断面図である。奥行パイプ嵌入部材６の嵌合溝６１内に一体的に設けられた回動軸６３は、二面がパイプ嵌入部３と垂直をなしてそぎ落とされた略平行楕円柱であり、該平行楕円柱の二面幅は回動支持部４の切欠部４２の内寸より僅かに狭い。
【００１４】
図６は奥行パイプ嵌入部材６の回動軸６３が回動支持部４の軸受孔４１に装着された状態を示す管継手１の部分平面断面図であり、一体的に形成された奥行パイプ嵌入部材６は間口方向のパイプ嵌入部３と平行の向き、すなわちパイプ棚の折り畳み状態の向きで回動軸６３を回動支持部４の切欠部４２を通して挿入した後、９０度回し戻した状態、すなわちパイプ棚の使用状態の向きを示している。
この状態では回動軸６３は回動支持部４の軸受孔４１に抱き込まれて係合されており、該軸受孔に連接して設けられた装着用開口の切欠部４２に拘わらず芯ズレ、脱落は起こらない。
【００１５】
図７は樹脂製の回動軸押さえ部材８を示す拡大斜視図であり、図８は該回動軸押さえ部材８が装着されたパイプ棚の折り畳み状態と同じ向きに於ける管継手１の断面図である。樹脂製で略Ｕ字型の回動軸押さえ部材８は、奥行パイプ嵌入部材６の嵌合溝６１に挟叉された回動支持部４の切欠部４２に挿入されるとＵ字型の弾力で小切欠部４３に突起８１が嵌合して係止され、パイプ棚の折り畳み状態に於いて回動軸６３が回動支持部４の軸受孔４１から脱落するのを防止する。
【発明の効果】
本発明の組立式折り畳みパイプ棚用管継手は、奥行パイプ嵌入部材が回動軸を含めて一体的に形成されるため、パイプ棚の美観上の難点を排除するために引き起こされる組立、在庫の煩雑さを排したまま、運送、収納が頻繁に繰り返されるリース、レンタル用什器として、長期に亘る使用に耐える折り畳みパイプ棚を提供できる。また、表面処理後の圧入プレスという特別な工程が不要のため低コストを実現する。
【図面の簡単な説明】
【図１】本発明の一実施例の管継手を使用した組立式折り畳みパイプ棚の最上段の角部を示す斜視図
【図２】本発明の一実施例の管継手の全体を示す斜視図
【図３】本発明の一実施例の管継手の奥行パイプ嵌入部材装着前の形状を示す平面図
【図４】奥行パイプ嵌入部材の側面図
【図５】奥行パイプ嵌入部材の平面断面図
【図６】パイプ棚の使用時の状態に於ける奥行パイプ嵌入部材の回動軸が回動支持部の軸受孔に装着された状態を示す管継手の断面図を含む平面図
【図７】回動軸押さえ部材の拡大斜視図
【図８】パイプ棚の折り畳み状態に於ける回動軸押さえ部材が装着された管継手の断面図を含む平面図
【符号の説明】
１  管継手
２  基部
３  パイプ嵌入部
４  回動支持部
５  肉盛部
６  奥行パイプ嵌入部材
７  パイプ部材
８  回動軸押さえ部材
９  棚板
４１  軸受孔
４２  切欠部
４３  小切欠部
６１  嵌合溝
６３  回動軸
８１  突起
【図１】
2004270908.tif 000003
【図２】
2004270908.tif 000004
【図３】
2004270908.tif 000005
【図４】
2004270908.tif 000006
【図５】
2004270908.tif 000007
【図６】
2004270908.tif 000008
【図７】
2004270908.tif 000009
【図８】
2004270908.tif 000010